(57)【要約】【課題】基地局で観測される、他セルユーザに起因する他セル干渉の均一化を図ること。【解決手段】基地局装置は、ユーザ装置から報告された伝搬損失が、所定の条件に合致するか否かを判定する判定手段と、他セルからの低電力化の要請に応じて、ユーザ装置が送信電力を下げるべきか否かを示す指示信号を、判定手段での判定結果に従って作成する手段と、指示信号を前記ユーザ装置に送信する手段とを有する。伝搬損失は、ある期間にわたる平均的な受信品質及び所要品質から導出される。これにより他セルからの低電力化の要請に真に従うべきユーザ装置だけが送信電力を下げ、他セル干渉の均一化を図ることができる。【選択図】図５
2008172376.tif 000002
【特許請求の範囲】
【請求項１】
移動通信システムで使用されるユーザ装置と通信を行う基地局装置であって、
前記ユーザ装置から報告された伝搬損失が、所定の条件に合致するか否かを判定する判定手段と、
他セルからの低電力化の要請に応じて、前記ユーザ装置が送信電力を下げるべきか否かを示す指示信号を、前記判定手段での判定結果に従って作成する手段と、
前記指示信号を前記ユーザ装置に送信する手段と、
を有し、前記伝搬損失は、ある期間にわたる平均的な受信品質及び所要品質から導出される
ことを特徴とする基地局装置。
【請求項２】
前記判定手段は、前記ユーザ装置及び当該基地局装置間での自セル伝搬損失と、前記ユーザ装置及び他の基地局装置間での他セル伝搬損失との差分が所定の条件を満たすか否かを判定する
ことを特徴とする請求項１記載の基地局装置。
【請求項３】
移動通信システムで使用されるユーザ装置と通信を行う基地局装置で使用される方法であって、
前記ユーザ装置から報告された伝搬損失が、所定の条件に合致するか否かを判定する判定ステップと、
他セルからの低電力化の要請に応じて、前記ユーザ装置が送信電力を下げるべきか否かを示す指示信号を、前記判定手段での判定結果に従って作成するステップと、
前記指示信号を前記ユーザ装置に送信するステップと、
を有し、前記伝搬損失は、ある期間にわたる平均的な受信品質及び所要品質から導出される
ことを特徴とする方法。
【請求項４】
移動通信システムで使用される基地局装置と通信を行うユーザ装置であって、
少なくとも前記基地局装置及び当該ユーザ装置間での伝搬損失を測定し、該伝搬損失を前記基地局装置に送信する手段と、
前記伝搬損失が所定の条件に合致するか否かに従って、他セルからの低電力化の要請に応じて、当該ユーザ装置が送信電力を下げるべきか否かを示す指示信号を前記基地局装置から受信する手段と、
前記指示信号に従って、送信電力を調整する手段と、
を有し、前記伝搬損失は、ある期間にわたる平均的な受信品質及び所要品質から導出される
ことを特徴とするユーザ装置。
【請求項５】
前記ユーザ装置及び当該基地局装置間での自セル伝搬損失と、前記ユーザ装置及び他の基地局装置間での他セル伝搬損失とが前記基地局装置に送信され、
前記自セル伝搬損失及び前記他セル伝搬損失の差分が所定の条件を満たすか否かに応じて作成された前記指示信号が前記基地局装置から受信される
ことを特徴とする請求項４記載のユーザ装置。
【請求項６】
移動通信システムで使用される基地局装置と通信を行うユーザ装置で使用される方法であって、
少なくとも前記基地局装置及び当該ユーザ装置間での伝搬損失を測定し、該伝搬損失を前記基地局装置に送信するステップと、
前記伝搬損失が所定の条件に合致するか否かに従って、他セルからの低電力化の要請に応じて、当該ユーザ装置が送信電力を下げるべきか否かを示す指示信号を前記基地局装置から受信するステップと、
前記指示信号に従って、送信電力を調整するステップと、
を有し、前記伝搬損失は、ある期間にわたる平均的な受信品質及び所要品質から導出される
ことを特徴とする方法。
【請求項７】
移動通信システムで使用される基地局装置と通信を行うユーザ装置であって、
少なくとも前記基地局装置及び当該ユーザ装置間での伝搬損失を測定し、該伝搬損失を前記基地局装置に送信する手段と、
前記伝搬損失が所定の条件に合致するか否かに応じて、他セルからの低電力化の要請に従って当該ユーザ装置が送信電力を下げるべきか否かを決定する決定手段と、
前記決定手段での決定に従って、送信信号電力を決定し、送信信号を前記基地局装置に送信する手段と、
を有し、前記伝搬損失は、ある期間にわたる平均的な受信品質及び所要品質から導出される
ことを特徴とするユーザ装置。
【請求項８】
前記決定手段は、前記ユーザ装置及び当該基地局装置間での自セル伝搬損失と、前記ユーザ装置及び他の基地局装置間での他セル伝搬損失との差分が所定の条件を満たすか否かに応じて決定を行う
ことを特徴とする請求項７記載のユーザ装置。
【請求項９】
前記所定の条件を特定するパラメータの値が基地局装置から通知される
ことを特徴とする請求項７記載のユーザ装置。
【請求項１０】
移動通信システムで使用される基地局装置と通信を行うユーザ装置で使用される方法であって、
少なくとも前記基地局装置及び当該ユーザ装置間での伝搬損失を測定し、該伝搬損失を前記基地局装置に送信するステップと、
前記伝搬損失が所定の条件に合致するか否かに応じて、他セルからの低電力化の要請に従って当該ユーザ装置が送信電力を下げるべきか否かを決定する決定ステップと、
前記決定ステップでの決定に従って、送信信号電力を決定し、送信信号を前記基地局装置に送信するステップと、
を有し、前記伝搬損失は、ある期間にわたる平均的な受信品質及び所要品質から導出される
ことを特徴とする方法。
【発明の詳細な説明】
【技術分野】
【０００１】
本発明は、移動通信システムで使用される基地局装置、ユーザ装置及び方法に関連する。
【背景技術】
【０００２】
図１は従来の移動通信システムの概念図を示す。このシステムは、例えばワイドバンド符号分割多重接続(W-CDMA:  Wideband−Code  Division  Multiple  Access)方式を採用する回線交換型の移動通信システムである。ユーザ装置UE1,UE2,UE3は各自に専用に割り当てられた回線でセル１の基地局(BS1)と通信を行っているものとする。基地局は、BS(Base  Station)と言及されてもよいし、NodeBと言及されてもよい。この場合において、あるユーザ装置の送信信号は、他のユーザ装置及び他の基地局(図示の例では、BS2)にとって干渉信号になる。従って送信電力−特に上りリンクでの送信電力−は適切に制御される必要がある。
【０００３】
従来のW-CDMA方式の移動通信システムでは、閉ループの送信電力制御法(TPC:  Transmitter  Power  Control)で送信電力が制御されている。TPCでは受信側で信号品質が測定され、所要品質が充足されるように送信電力制御ビットを送信側に返すことで、次回送信される信号の送信電力が調整される。送信電力制御ビットはDPCCHと呼ばれる折り返しチャネルで伝送される。
【０００４】
図１に示されるようなシステムでは、他セルの基地局(BS2)が受ける干渉は、ユーザ装置UE1,UE2,UE3各々からの多数の信号の合計で評価される。回線交換型の通信では比較的長期間にわたって専用回線が維持されるので、各ユーザ装置から受ける干渉の合計は、統計多重効果に起因して比較的均一化される傾向がある。このため上記の閉ループ送信電力制御法により送信電力を安定的に制御できることが期待される。
【０００５】
ところで、E-UTRA(Evolved-UTRA)やLTE(Long  Term  Evolution)等のような次世代の移動通信システムでは回線交換型でなくパケット交換型の通信が想定されている。この種の移動通信システムでは、所定の期間毎に(例えば、送信時間間隔(TTI)毎に)、所定の帯域幅のリソースブロック(RB:  Resource  Block)の１つ以上がチャネル状態の良いユーザ装置に優先的に割り当てられる。これにより伝送効率を向上させることが期待される。従って基地局に接続中のユーザ装置に時間的に連続に無線リソースが割り当てられるとは限らず、むしろ或るタイムスロットで或るリソースブロックを用いて或るユーザ装置が送信を行った直後に、同一周波数のリソースブロックが別のユーザ装置により使用されるかもしれない。このため他セルの基地局が受ける干渉は、従来のシステムとは異なり、時間経過と共に大きく変動することが予想される。従って従来の閉ループ送信電力制御法を次世代の移動通信システムにそのまま適用することは困難である。
【０００６】
このような問題点に対処する１つの方法は、基地局で他セル干渉(他セルに在圏するユーザ装置から受ける干渉)を測定し、他セル干渉が閾値よりも大きくなった場合に、その基地局が他セルのユーザ装置に対して送信電力を下げるよう要求することである(これについては、例えば非特許文献１参照。)。この低電力化を求める信号は、オーバーロードインジケータ(Overload  Indicator)とも言及される。
【０００７】
図２はこのような手法を模式的に示す。オーバーロードインジケータを受けたユーザ装置は、次回から送信電力を所定値(Δoffset)だけ下げて送信を行う。これにより他セル干渉を直接的に減らすことができる。
【非特許文献１】3GPP,R1-063446,2006年11月
【発明の開示】
【発明が解決しようとする課題】
【０００８】
上記の手法では、大きな干渉を受けた基地局が、その基地局周辺のセルに在圏する全てのユーザ装置にオーバーロードインジケータを通知し、それら全てのユーザ装置の送信電力が一律に下げられる。この場合に、基地局で受ける干渉がかなり変動していること自体は変わらない。また、周辺セルに在圏するユーザ装置の中には、干渉に大きくは寄与していないものも含まれるに違いないが、上記の手法ではそのようなユーザ装置の送信電力も一律に下げられてしまう。このため過剰に多くのユーザ装置の送信電力が弱められ、それらの信号品質が過剰に劣化させられ、システムにおけるスループットの低下を招くおそれがある。
【０００９】
本発明の課題は、基地局で観測される、他セルユーザに起因する他セル干渉の均一化を図ることである。
【課題を解決するための手段】
【００１０】
本発明では、移動通信システムで使用されるユーザ装置と通信を行う基地局装置が使用される。基地局装置は、前記ユーザ装置から報告された伝搬損失が、所定の条件に合致するか否かを判定する判定手段と、他セルからの低電力化の要請に応じて、前記ユーザ装置が送信電力を下げるべきか否かを示す指示信号を、前記判定手段での判定結果に従って作成する手段と、前記指示信号を前記ユーザ装置に送信する手段とを有する。前記伝搬損失は、ある期間にわたる平均的な受信品質及び所要品質から導出される。
【発明の効果】
【００１１】
本発明によれば、基地局で観測される、他セルユーザに起因する他セル干渉の均一化を図ることができる。
【発明を実施するための最良の形態】
【００１２】
本発明の一形態によれば、ユーザ装置から報告された伝搬損失が、所定の条件に合致するか否かが基地局で判定される。この判定結果に従って、他セルからの低電力化の要請に応じて、ユーザ装置が送信電力を下げるべきか否かを示す指示信号が作成され、それがユーザ装置に送信される。これにより他セルからの低電力化の要請に真に従うべきユーザ装置だけが送信電力を下げ、他セル干渉の均一化を図ることができる。
【００１３】
所定の条件に合致するか否かの判定は、自セル伝搬損失及び他セル伝搬損失の差分が所定の条件を満たすか否かで判定されてもよい。例えば、その差分がゼロ又は負の値であるユーザ装置が、低電力化の要請に従うようになっていてもよい。これにより低電力化の要請に従うべきユーザ装置を簡易且つ的確に選定することができる。
【００１４】
本発明の一形態によれば、伝搬損失が所定の条件に合致するか否かの判定に加えて、他セルからの低電力化の要請に応じるべきか否かの判定が、ユーザ装置で自律的に行われる。この場合に、所定の条件を特定するパラメータの値が基地局装置から通知されてもよい。
【００１５】
説明の便宜上、本発明が幾つかの実施例に分けて説明されるが、各実施例の区分けは本発明に本質的ではなく、２以上の実施例が必要に応じて使用されてよい。
【実施例１】
【００１６】
図３は本発明の一実施例によるユーザ装置の機能ブロック図を示す。ユーザ装置は、上りリンクにシングルキャリア方式が採用される移動通信システムで使用されることが想定されている。図３には、送信シンボル生成部３０２、離散フーリエ変換部（DFT）３０４、サブキャリアマッピング部３０６、逆高速フーリエ変換部（IFFT）３０８、サイクリックプレフィックス付加部(+CP)３１０、リファレンス信号生成部３１２、多重部３１４、RF送信回路３１６、電力増幅器３１８、デュプレクサ３２０、パスロス推定部３２２，３２４、他セル確認部３２６、オーバーロードインジケータ復調部３２８及び送信電力制御部３３０が描かれている。
【００１７】
送信シンボル生成部３０２は、上りリンクで送信される信号を用意する。送信シンボル生成部３０２は、ユーザが送信しようとしているユーザトラフィックデータ信号だけでなく、制御信号も作成する。制御信号には、上りデータ信号の伝送フォーマット(変調方式及びデータサイズ等)、上り送信電力、下りデータ信号に対する送達確認情報(ACK/NACK)、下りリンクでの受信品質(CQI)等のような情報に加えて、自セルでのパスロス(自セル伝搬損失)が含まれてよい。更には他セルでのパスロス(他セル伝搬損失)が含まれてもよい。
【００１８】
離散フーリエ変換部（DFT）３０４は離散フーリエ変換を行い、時系列の情報を周波数領域の情報に変換する。
【００１９】
サブキャリアマッピング部３０６は、周波数領域でのマッピングを行う。複数のユーザ装置の多重化に周波数分割多重化（FDM）方式が使用されてもよい。FDM方式には、ローカライズド(localized)FDM方式及びディストリビュート(distributed)FDM方式の２種類がある。
【００２０】
逆高速フーリエ変換部（IFFT）３０８は、逆フーリエ変換を行うことで、周波数領域の信号を時間領域の信号に戻す。
【００２１】
サイクリックプレフィックス付加部(+CP)３１０は、送信する情報にサイクリックプレフィックス（CP:  Cyclic  Prefix）を付加する。サイクリックプレフィックス（CP）は、マルチパス伝搬遅延および基地局における複数ユーザ間の受信タイミングの差を吸収するためのガードインターバルとして機能する。
【００２２】
リファレンス信号生成部３１２は、上りリンクで送信されるリファレンス信号を用意する。リファレンス信号は、パイロット信号とも言及され、或いは参照信号、トレーニング信号等と言及されてもよい。
【００２３】
多重部３１４は、送信する情報にリファレンス信号を多重し、送信シンボルを作成する。
【００２４】
RF送信回路３１６は、送信シンボルを無線周波数で送信するためのディジタルアナログ変換、周波数変換及び帯域制限等の処理を行う。
【００２５】
電力増幅器３１８は送信電力を調整する。
【００２６】
デュプレクサ３２０は、同時通信が実現されるように、送信信号及び受信信号を適切に分離する。
【００２７】
パスロス推定部３２２は、自セルの基地局から受信したリファレンス信号に基づいて、伝搬損失(パスロス)を推定する。説明の便宜上、自セルとはユーザ装置と接続されているセルを意味し、接続セル又はサービングセル(Serving  Cell)として言及される。伝搬損失Lは、送信電力と受信電力との差分から導出され、リファレンス信号を一定期間にわたって受信することで平均的な値として算出される。伝搬損失は、主に距離変動やシャドーイング等に起因して決定され、平均的には上下リンクで大きくは異ならない性質を有する。伝搬損失Lは瞬時フェージングには依存しない。一般に伝搬損失Lは次式を満たす。
【００２８】
SIRt=PTX+L−I0
ここで、SIRtは所要品質を表し、PTXは受信信号が送信されたときの送信電力を表し、I0は干渉電力を表す。
【００２９】
パスロス推定部３２４は、他セルの基地局から受信したリファレンス信号に基づいて、伝搬損失(パスロス)を推定する。説明の便宜上、他セルとはユーザ装置と接続されていないセルを意味し、非接続セル又はノンサービングセル(Non-Serving  Cell)として言及される。
【００３０】
他セル確認部３２６は、自装置(当該ユーザ装置)の在圏セル周辺の他セルが何であるかを確認する。
【００３１】
オーバーロードインジケータ復調部３２８は、他セルから受信したオーバーロードインジケータを復調し、その結果を出力する。
【００３２】
送信電力制御部３３０は、送信信号の送信電力を自セルの基地局からの指示に従って制御する。この場合において、必要に応じて、他セルから受信したオーバーロードインジケータに従って送信電力が下げられる。オーバーロードインジケータに従って送信電力を小さく抑制するか否かは、本発明の第１実施例では自セルの基地局で決定され、第２及び第３実施例ではユーザ装置自身により決定される。
【００３３】
図４は本発明の一実施例による基地局を示す。図４には、デュプレクサ４０２、RF受信回路４０４、高速フーリエ変換部（FFT）４０６、チャネル推定部４０８、分離部４１０、周波数領域等化部４１２、逆離散フーリエ変換部（IDFT）４１４、復調部４１６、リファレンス信号生成部４２０、CQI測定部４２２、スケジューラ４２４、L1/L2制御信号生成部４２６、UE選定部４２８、データ信号生成部４３０、他セル干渉測定部４３２、オーバーロードインジケータ生成部４３４、多重部４３６、高速逆フーリエ変換部(IFFT)４３８、サイクリックプレフィックス付与部(+CP)４４０、RF送信回路４４２及び電力増幅器４４４が描かれている。
。
【００３４】
デュプレクサ４０２は、同時通信が実現されるように、送信信号及び受信信号を適切に分離する。
【００３５】
RF受信回路４０４は、受信シンボルをベースバンドで処理するためにディジタルアナログ変換、周波数変換及び帯域制限等の処理を行う。
【００３６】
高速フーリエ変換部（FFT）４０６は、フーリエ変換を行い、時系列の情報を周波数領域の情報に変換する。
【００３７】
チャネル推定部４０８は、上りリファレンス信号の受信状態に基づいて上りリンクのチャネル状態を推定し、チャネル補償を行うための情報を出力する。
【００３８】
分離部４１０は、周波数領域でのデマッピングを行う。この処理は個々のユーザ装置で行われた周波数領域でのマッピングに対応して行われる。
【００３９】
周波数領域等化部４１２は、チャネル推定値に基づいて受信信号の等化を行う。
【００４０】
逆離散フーリエ変換部（IDFT）４１４は、逆離散フーリエ変換を行うことで、周波数領域の信号を時間領域の信号に戻す。
【００４１】
復調部４１６は受信信号を復調する。本発明に関しては、上りデータ信号に加えて、上り制御信号が復調され、自セルパスロスLS及び必要に応じて他セルパスロスLNSが得られる。
【００４２】
リファレンス信号生成部４２０は、下りリンクで伝送されるリファレンス信号を用意する。
【００４３】
CQI測定部４２２は、ユーザ装置から受信した品質測定用リファレンス信号に基づいて、各ユーザ装置とのチャネル状態(CQI)を評価する。この品質測定用リファレンス信号は、チャネル推定部４０８で使用されるリファレンス信号よりも広い帯域で送信され基地局で受信されたものである。チャネル推定に使用されるリファレンス信号は、実際に割り当ての行われたリソースブロックに渡る帯域を占めていればよいが、スケジューリングの基礎となる品質測定に使用されるリファレンス信号は、全リソースブロックに渡る帯域を占める必要があるからである。
【００４４】
スケジューラ４２４は、チャネル状態情報（CQI）の良否や他の判断基準に基づいて、上下リンクのリソース割り当て内容を決定する。決定された内容は、スケジューリング情報として出力される。スケジューリング情報は、信号の伝送に使用される周波数、時間、伝送フォーマット（データ変調方式及びチャネル符号化率等）等を特定する。
【００４５】
L1/L2制御信号生成部４２６は、L1/L2制御信号を生成する。L1/L2制御信号は、上記のスケジューリング情報を含んでよいことに加えて、本実施例では、宛先のユーザ装置がオーバーロードインジケータに従って送信電力を下げるべきか否かを示す指示信号をも含んでよい。
【００４６】
UE選定部４２８は、ユーザ装置から報告された伝搬損失に基づいて、どのユーザ装置がオーバーロードインジケータに従って送信電力を下げるべきか否かを決定し、決定内容を示す指示信号を作成する。この決定は、後述されるように、伝搬損失が所定の条件を満たすか否かに応じてなされる。指示信号はL1/L2制御信号に含められる。
【００４７】
データ信号生成部４３０は、データ信号を用意する。
【００４８】
他セル干渉測定部４３２は、他セルに在圏するユーザ装置に起因する他セル干渉を測定する。他セル干渉が所定値を上回るか否かを示す信号が出力される。
【００４９】
オーバーロードインジケータ生成部４３４は、他セル干渉の測定結果に基づいて、オーバーロードインジケータを用意し、送信信号に含める。
【００５０】
多重部４３６は、リファレンス信号、L1/L2制御信号及びデータ信号を自セルに在圏するユーザ装置宛てに送信するよう信号を多重する。更に自セルに在圏しないユーザ装置がオーバーロードインジケータを受信できるように、多重部４３６は、送信信号にオーバーロードインジケータも含める。
【００５１】
高速逆フーリエ変換部(IFFT)４３８は、マッピング後の信号を高速逆フーリエ変換し、OFDM方式での変調を行い、送信シンボル中の有効シンボルの部分を作成する。
【００５２】
サイクリックプレフィックス付与部(+CP)４４０は、OFDM方式で変調された信号(この段階では、有効シンボル部分)にガードインターバルを付与し、送信信号を構成するOFDMシンボルを作成する。送信信号は不図示の要素により無線送信される。サイクリックプレフィックス(Cyclic  Prefix)はガードインターバルとも呼ばれ、送信シンボル中の有効シンボルに含まれる一部分を複製することで用意することができる。
【００５３】
RF送信回４４２は、送信シンボルを無線周波数で送信するためのディジタルアナログ変換、周波数変換及び帯域制限等の処理を行う。
【００５４】
電力増幅器４４４は送信電力を調整する。
【００５５】
図５は本発明の一実施例による動作を示すフローチャートである。ステップS21では、ユーザ装置UEが、自セルに関するパスロスLS及び他セルに関するパスロスLNSを測定する。自セルに関するパスロスLs(自セルパスロス)は、接続中の基地局(サービングセルの基地局)から受信したリファレンス信号の平均的な受信電力と、そのリファレンス信号の送信電力との差分から算出される。他セルに関するパスロスLNS(他セルパスロス)は、接続されていない基地局(ノンサービングセルの基地局)から受信したリファレンス信号の平均的な受信電力と、そのリファレンス信号の送信電力との差分から算出される。より厳密には、自他のパスロスが算出される際に、アンテナゲイン等の量も加味される。
【００５６】
ステップS22では、自セルパスロスLS及び他セルパスロスLNSを含む信号(典型的には、L1/L2制御信号)が接続中の基地局に送信され、自セル及び他セルパスロスが報告される。他のユーザ装置からの自セル及び他セルパスロスも基地局に報告される。
【００５７】
ステップS11では、各ユーザ装置から報告されたパスロスが、所定の条件を満たすか否かを判定する。判定結果に応じて、他セルからのオーバーロードインジケータによる低電力化の要請に従うべきユーザ装置がどれであるかが選定される。所定の条件は適切な如何なる条件が使用されてもよい。以下、自セルパスロスだけを利用する例と、自セルパスロス及び他セルパスロス双方を利用する例を説明する。
【００５８】
（１）自セルパスロスだけを利用する例
例えば、自セルパスロスLSが所定の閾値より大きかった場合は、それだけ多くの送信電力が必要になり、他セルに及ぼす干渉の影響も大きくなることが予想される。そのようなユーザ装置は、他セルからオーバーロードインジケータを受けた場合に、その低電力化の要請に従って送信電力を下げた方がよい。自セルパスロスLSが所定の閾値より大きくなければ、さほど大きな送信電力で送信がなされなくてよいので、他セルに及ぼす干渉の影響も小さいことが予想される。そのようなユーザ装置は、他セルからオーバーロードインジケータを受けたとしても、その低電力化の要請に従って送信電力を下げなくてよい。このように、自セルパスロスLＳと閾値とを比較することで、他セルからのオーバーロードインジケータによる低電力化の要請に従うべきユーザ装置がどれであるかが選定されてもよい。更には、そのような所定の条件を満たすユーザ装置の内、パスロスの大きい順に上位所定数台のユーザ装置が最終的に絞り込まれてもよい。
【００５９】
（２）自セル及び他セルパスロス双方が利用される例
他セルパスロスLNSが比較的大きい場合には、ユーザ装置が何らかの信号を送信してもそれが他セルの基地局に届くまでに大きく減衰するので、他セル干渉は少ないと考えられる。逆に他セルパスロスLNSが小さい場合に、ユーザ装置が何らの信号を送信すると、それは他セルの基地局にさほど減衰せずに到達するので、他セル干渉は大きいと考えられる。特に、他セルパスロスLNSが小さく且つ自セルパスロスLSが大きかった場合に、他セル干渉はかなり大きくなってしまうことが予想される。また、自セルパスロスLs及び他セルパスロスLNSが同程度であった場合には、ユーザ装置が自セルの基地局に向けて送信した信号は、他セルの基地局にも同程度の強さで受信され、強い干渉になってしまうことが懸念される。このため、他セルパスロスLNSが小さく且つ自セルパスロスLSが大きかった場合や、自セルパスロスLS及び他セルパスロスLNSが同程度の大きさであった場合に、そのユーザ装置は、他セルからの低電力化の要請に従って送信電力を下げた方がよい。そうでないユーザ装置は、他セルからオーバーロードインジケータを受けたとしても、その低電力化の要請に従って送信電力を下げなくてよい。このような条件は、パスロス差(LNS−LS)がゼロ近辺又は負の値である場合には、オーバーロードインジケータに従うべきであるが、そうでなければ従わなくてよい、という条件に換言されてもよい。
【００６０】
いずれにせよ、自セルの基地局は各ユーザ装置から報告されたパスロスLS及び／又はLNSが何らかの条件を満たすか否かに基づいて、ユーザ装置を選定する。
【００６１】
ステップS12では、ステップS11で選定されたユーザ装置がどれであるかを示す情報(指示信号)がユーザ装置に通知される。この通知は、該当するユーザ装置だけに宛てた個々の制御信号で通知されてもよいし、該当するか否かによらず複数のユーザ装置に一斉に報知されてもよい。
【００６２】
ステップS31では、一例として、他セルからのオーバーロードインジケータをユーザ装置が受信したとする。ユーザ装置は、ステップS12で自装置がオーバーロードインジケータに従うべきか否かを指示信号を復調することで確認済みである。
【００６３】
ステップS23では、指示信号の内容に応じて、ユーザ装置は送信信号の送信電力を決定する。オーバーロードインジケータに従わなくてよい場合は、基地局から指示された送信電力でそのまま信号が送信される。オーバーロードインジケータに従うべき場合は、基地局から指示された送信電力から、所定の値(Δoffset)だけ小さな送信電力で信号が送信される。
【００６４】
かくて本実施例によれば、真にオーバーロードインジケータに従うべきユーザ装置だけがそれに従って送信電力を低減し、他のユーザ装置は送信電力を下げずに送信できるので、過剰な低電力化を回避することができ、他セル干渉の均一化を図ることもできる。
【実施例２】
【００６５】
図６は本発明の第２実施例による動作を示すフローチャートである。ステップS21では、ユーザ装置UEが、自セルに関するパスロスLS及び他セルに関するパスロスLNSを測定する。
【００６６】
ステップS22では、パスロスLS又はLS及びLNSが所定の条件を満たすか否かに基づいて、自装置が他セルからの低電力化の要請に従うべきか否かを判定する。所定の条件に関する処理は、第１実施例のステップS11(第５図)で行われたものと同様でよい。
【００６７】
ステップS31では、一例として、他セルからのオーバーロードインジケータをユーザ装置が受信したとする。ユーザ装置は、ステップS22で自装置がオーバーロードインジケータに従うべきか否かを確認済みである。
【００６８】
ステップS23では、S22での判断結果に応じて、ユーザ装置は送信信号の送信電力を決定する。オーバーロードインジケータに従わなくてよい場合は、基地局から指示された送信電力でそのまま信号が送信される。オーバーロードインジケータに従うべき場合は、基地局から指示された送信電力から、所定の値(Δoffset)だけ小さな送信電力で信号が送信される。
【実施例３】
【００６９】
本発明の第３実施例では、ユーザ装置が他セルからの低電力化の要請に応じるべきか否かの判断が、第２実施例と同様にユーザ装置で行われる。しかしながら第６図の破線矢印S11で示されるように、判断に使用される条件式を特定するパラメータ値は基地局から通知される。例えば、条件式で使用される閾値の具体的な値が基地局から通知されてもよい。
【００７０】
以上本発明が幾つかの実施例に分けて説明されてきたが、各実施例の区分けは本発明に本質的ではなく、１以上の実施例が必要に応じて使用されてよい。場合によっては、一部のユーザ装置は第１実施例の手法で制御され、一部のユーザ装置は第２及び／又は第３実施例の手法で制御されてもよい。但し、第１実施例のように、基地局で様々な判断を行うようにすると、複数のユーザ装置の通信状況を比較することで、相対的に他セル干渉に大きく影響しているユーザ装置だけに限定して低電力化を図ることができる点で有利である。また、複数のユーザ装置からのパスロスを考察することで、他セル干渉の均一化の観点から、低電力化を行うべきユーザ装置を限定することもできる点で有利である。逆に、他セルからの低電力化の要請に従うか否かの判断がユーザ装置で自律的に行われると、基地局の制御負担を増やさずに済む点で有利である。
【図面の簡単な説明】
【００７１】
【図１】基地局が他セルのユーザ装置から他セル干渉を受ける様子を示す図である。
【図２】オーバーロードインジケータに従ってユーザ装置が送信電力を下げて送信する様子を示す図である。
【図３】本発明よるユーザ装置を示す図である。
【図４】本発明による基地局を示す図である。
【図５】本発明の第１実施例による動作を示すフローチャートである。
【図６】本発明の第２実施例による動作を示すフローチャートである。
【符号の説明】
【００７２】
３０２  送信シンボル生成部
３０４  離散フーリエ変換部
３０６  サブキャリアマッピング部
３０８  逆高速フーリエ変換部
３１０  サイクリックプレフィックス付加部
３１２  リファレンス信号生成部
３１４  多重部
３１６  RF送信回路
３１８  電力増幅器
３２０  デュプレクサ
３２２，３２４  パスロス推定部
３２６  他セル確認部
３２８  オーバーロードインジケータ復調部
３３０  送信電力制御部
４０２  デュプレクサ
４０４  RF受信回路
４０６  高速フーリエ変換部
４０８  チャネル推定部
４１０  サブキャリアデマッピング部
４１２  周波数領域等化部
４１４  逆離散フーリエ変換部
４１６  復調部
４２０  リファレンス信号生成部
４２２  CQI測定部
４２４  スケジューラ
４２６  L1/L2制御信号生成部
４２８  UE選定部
４３０  データ信号生成部
４３２  他セル干渉測定部
４３４  オーバーロードインジケータ生成部
４３６  多重部
４３８  高速逆フーリエ変換部
４４０  サイクリックプレフィックス付与部
４４２  RF送信回路
４４４  電力増幅器
【図１】
2008172376.tif 000003
【図２】
2008172376.tif 000004
【図３】
2008172376.tif 000005
【図４】
2008172376.tif 000006
【図５】
2008172376.tif 000007
【図６】
2008172376.tif 000008